(57)【要約】      （修正有）【課題】レーザダイオードを光源として用いた発光装置を製造するために、さらなる高光出力及び高輝度を実現することができる光部品及びその製造方法、これを用いた発光装置及びその製造方法を提供することを目的とする。【解決手段】入射開口部と出射開口部とを有する貫通孔が形成された支持部材１１と、前記貫通孔の内壁に形成された第１透光部材１２と、光入射面１３ａと光出射面１３ｂと外周側面１３ｃとを有し、前記貫通孔の中に配置された第２透光部材とを備え、前記第２透光部材１３の外周側面が、前記貫通孔の内壁に、前記第１透光部材１２による融着によって固定され、前記第１透光部材１２は、前記第２透光部材１３の外周側面１３ｃに接する領域の厚みよりも、前記第２透光部材１３の外周側面１３ｃに接しない領域の厚みの方が大きい光部品。【選択図】図１Ｄ
2019195086.tif 000002
【特許請求の範囲】
【請求項１】
入射開口部と出射開口部とを有する貫通孔が形成された支持部材と、
前記貫通孔の内壁に形成された第１透光部材と、
光入射面と光出射面と外周側面とを有し、前記貫通孔の中に配置された第２透光部材とを備え、
前記第２透光部材の外周側面が、前記貫通孔の内壁に、前記第１透光部材による融着によって固定され、
前記第１透光部材は、前記第２透光部材の外周側面に接する領域の厚みよりも、前記第２透光部材の外周側面に接しない領域の厚みの方が大きい光部品。
【請求項２】
前記第１透光部材は、前記貫通孔の内壁において、前記入射開口部から出射開口部にわたって形成されている請求項１に記載の光部品。
【請求項３】
前記第２透光部材は、蛍光体を含む請求項１または２に記載の光部品。
【請求項４】
前記貫通孔は、光の進行方向に拡がる内壁を有する請求項１〜３のいずれか１つに記載の光部品。
【請求項５】
前記第２透光部材は、前記光入射面から光出射面にむけて、広がる形状となっている請求項４に記載の光部品。
【請求項６】
さらに、前記第２透光部材の光出射面を被覆する第３透光部材を有する請求項１〜５のいずれか１つに記載の光部品。
【請求項７】
さらに、前記支持部材の下方に放熱部材を有する請求項１〜６のいずれか１つに記載の光部品。
【請求項８】
請求項１〜７のいずれか１つに記載の光部品と、半導体レーザ素子とを含む発光装置。
【請求項９】
入射開口部と出射開口部とを有する貫通孔が形成された支持部材を準備し、
光入射面と光出射面と外周側面とを有する第２透光部材を準備し、
前記貫通孔の内壁に第１透光部材を形成し、
前記第２透光部材の外周側面を、前記貫通孔の内壁に、前記第１透光部材による融着によって固定する工程を含み、
前記第１透光部材は、前記第２透光部材の外周側面に接する領域の厚みよりも、前記第２透光部材の外周側面に接しない領域の厚みの方が大きい光部品の製造方法。
【請求項１０】
前記第１透光部材を、少なくとも、前記貫通孔の内壁において、前記入射開口部から出射開口部にわたって形成する工程を含む請求項９に記載の光部品の製造方法。
【請求項１１】
さらに、前記第２透光部材の光出射面を被覆する第３透光部材を形成する工程を含む請求項９または１０に記載の光部品の製造方法。
【請求項１２】
前記第１透光部材を、前記支持部材の上面にも形成し、前記第３透光部材を形成後、前記第１透光部材の少なくとも一部と、前記第３透光部材の一部を除去する工程を含む請求項１１に記載の光部品の製造方法。
【請求項１３】
さらに、第３透光部材を形成後、前記支持部材の出射開口部側から前記第３透光部材を研磨する工程を含む請求項１１または１２に記載の光部品の製造方法。
【請求項１４】
さらに、前記支持部材の下方に、放熱部材を配置する工程を含む請求項９〜１３のいずれか１つに記載の光部品の製造方法。
【請求項１５】
請求項９〜１４のいずれか１つに記載の製造方法による光部品を、半導体レーザ素子と接続する発光装置の製造方法。
【発明の詳細な説明】
【技術分野】
【０００１】
本発明は、光部品及びその製造方法ならびに発光装置及びその製造方法に関する。
【背景技術】
【０００２】
従来から、ＬＥＤのみならず、レーザダイオードなどを光源として用いた発光装置が提
案されている（特許文献１〜３）。これらの発光装置は、貫通孔を有する支持部材と、貫
通孔を塞いで配置された第２透光部材とを備える光部品を有し、光源からの光は第２透光
部材を介して出射される。また、支持部材に反射膜を設けることにより、光取出し効率を
向上させている。
【先行技術文献】
【特許文献】
【０００３】
【特許文献１】欧州特許公開２７４３９９８号
【特許文献２】特開２００９−２６００５３号公報
【特許文献３】特開２００９−２７２５７６号公報
【発明の概要】
【発明が解決しようとする課題】
【０００４】
近年の発光装置では、特に、その用途によって、光源として用いられるレーザダイオー
ドの高光出力及び高輝度がより一層要求されている。
本発明の目的は、レーザダイオードを光源として用いた発光装置を製造するために、さ
らなる高光出力及び高輝度を実現することができる光部品及びその製造方法、これを用い
た発光装置及びその製造方法を提供することを目的とする。
【課題を解決するための手段】
【０００５】
本発明の実施形態の光部品は、
貫通孔を有する支持部材と、
前記貫通孔の内壁に形成された第１透光部材と、
光入射面と光出射面と外周側面とを有し、前記貫通孔の中に配置された第２透光部材と
を備え、
前記第２透光部材の外周側面が、前記貫通孔の内壁に、前記第１透光部材による融着に
よって固定されたことを特徴とする。
【０００６】
本発明の実施形態の光部品の製造方法は、
入射開口部と出射開口部を有する貫通孔が形成された支持部材を準備し、
前記光入射面と光出射面と外周側面とを有する第２透光部材を準備し、
前記貫通孔の内壁に第１透光部材を形成し、
前記第２透光部材の外周側面を、前記貫通孔の内壁に、前記第１透光部材による融着に
よって固定する工程を含む。
【０００７】
本発明の実施形態の発光装置は、上述した光部品と、半導体レーザ素子とを含む。
【０００８】
本発明の実施形態の発光装置の製造方法は、
上述した製造方法による光部品を、半導体レーザ素子と接続することを含む。
【発明の効果】
【０００９】
本発明の実施形態の光部品によれば、より一層の高光出力及び高輝度を実現することが
できる。また、この光部品は、長期間の使用においても劣化が生じにくく、長期間にわた
って、高品質を維持することができる。
【００１０】
また、本発明の実施形態の光部品の製造方法では、特別な工程を経ることなく、簡便か
つ確実に、製造コストの上昇を招くことなく、高品質の光部品を製造することができる。
【００１１】
さらに、本発明の実施形態の発光装置及びその製造方法は、高光出力、高輝度を実現し
ながら、長期にわたってその品質を維持することができる高い信頼性を得ることができ、
簡便かつ高品質の製品を確実に製造することができる。
【図面の簡単な説明】
【００１２】
【図１Ａ】本発明の光部品の一実施形態を示す概略断面図である。
【図１Ｂ】図１Ａの光部品の製造方法の概略断面工程図である。
【図１Ｃ】図１Ａの光部品の製造方法の概略断面工程図である。
【図１Ｄ】図１Ａの光部品の製造方法の概略断面工程図である。
【図１Ｅ】図１Ａの光部品の製造方法の概略断面工程図である。
【図２】本発明の光部品の一実施形態を示す概略断面図である。
【図３】本発明の光部品の一実施形態を示す概略断面図である。
【図４】本発明の光部品の一実施形態を示す概略断面図である。
【図５】本発明の光部品の一実施形態を示す概略断面図である。
【図６Ａ】本発明の発光装置の一実施形態を示す概略断面図である。
【図６Ｂ】図６Ａの発光装置における光部品における光の通過を説明するための要部の概略断面図である。
【発明を実施するための形態】
【００１３】
以下、発明の実施の形態について適宜図面を参照して説明する。ただし、以下に説明す
る光部品及びその製造方法、発光装置及びその製造方法は、本発明の技術思想を具体化す
るためのものであって、特定的な記載がない限り、本発明を以下のものに限定しない。ま
た、一の実施の形態、実施例において説明する内容は、他の実施の形態、実施例にも適用
可能である。
各図面が示す部材の大きさや位置関係等は、説明を明確にするため、誇張していること
がある。
【００１４】
実施形態１：光部品及びその製造方法
〔光部品〕
この実施形態の光部品１０は、図１Ａに示すように、主として、支持部材１１と、第１
透光部材１２と、第２透光部材１３とを備える。また、支持部材１１の上面において、第
２透光部材１３を被覆する第３透光部材１４をさらに備えることが好ましい。さらに、第
１透光部材１２、第３透光部材１４及び支持部材１１の１以上の上面及び／又は下面にお
いて、機能膜を備えていてもよい。
【００１５】
（支持部材）
支持部材１１は、第２透光部材１３を支持するための部材であって、光を吸収しにくい
、反射性の材料からなることが好ましい。ここで反射性とは、用いる光源、例えばレーザ
ダイオードから出射される光を５０％以上反射する材料、６０％以上、７０％又は８０％
以上反射する材料が好ましい。
【００１６】
支持部材１１は、熱伝導性が良好な材料からなることが好ましい。ここで、熱伝導率が
良好とは、２０℃における熱伝導率が数Ｗ／ｍ・ｋ以上のものが好ましく、１０Ｗ／ｍ・
ｋ以上、２５Ｗ／ｍ・ｋ以上がより好ましく、５０Ｗ／ｍ・ｋ以上がさらに好ましい。
支持部材１１は、耐熱性の良好な材料からなることが好ましい。ここで、耐熱性が良好
とは、融点が数百℃以上のものが好ましく、１０００℃以上がより好ましく、１５００℃
以上がさらに好ましい。
【００１７】
支持部材１１は、例えば、炭化珪素、酸化アルミニウム、窒化珪素、窒化アルミニウム
、酸化チタン、酸化タンタル、サーメット等のセラミックス、タングステン、タンタル、
モリブデン、コバール等の高融点金属、これらの複合体などが挙げられる。なかでも、酸
化アルミニウムを含む材料により形成されたものが好ましい。
【００１８】
特に、酸化アルミニウムを含む材料としては、支持部材の全重量に対して、酸化アルミ
ニウムを、７０重量％程度含有し、これにジルコニア０．数〜３０重量％程度を含有する
ものが挙げられる。さらに、この材料に、イットリア、カルシア、マグネシア、セリアの
いずれか１種以上を焼結助剤として、０．１〜２重量％程度含有してもよいし、可塑剤、
溶剤等を添加したものを用いてもよい。
【００１９】
支持部材１１の形状は、特に限定されるものではなく、後述する第２透光部材１３を支
持するための貫通孔１１ａを備えるものであれば、どのような形状でもよい。例えば、平
板状であってもよいし、筐体形状、蓋体形状、フェルール様形状等、種々の形状が挙げら
れる。
支持部材１１の大きさ及び厚みは、使用目的、意図する作用／効果によって、適宜設定
することができる。なかでも、放熱性及び／又は強度を考慮すると、０．２０ｍｍ程度以
上の厚みを有することが好ましい。
【００２０】
図１Ａでは、支持部材１１は、高反射性であり、熱伝導性及び耐熱性が良好なジルコニ
ウム含有アルミナ（約２４％のジルコニウムを含有する）によって形成されている。ここ
での支持部材１１の大きさは、直径が４．０ｍｍの円柱状であり、厚みは０．６７ｍｍで
ある。
【００２１】
（貫通孔）
支持部材１１は、光を通過させるための貫通孔１１ａを備える。
支持部材１１において、貫通孔１１ａの形状は特に限定されず、光の進行方向Ｘに対し
て一定の幅又は径を有する内壁によって形成されていてもよいし、光の進行方向Ｘに拡が
る内壁によって形成されていてもよいし、これらが組み合わせられた形状でもよい。光の
進行方向Ｘにおける拡がりは、傾斜的又は段階的のいずれでもよい。
【００２２】
図１Ａでは、貫通孔１１ａは、光の進行方向Ｘに拡がる内壁によって形成されている。
このような形状とすることにより、入射した光の戻り光を貫通孔の内壁によって反射させ
て、光出射側に効率的に取り出すことができる。
【００２３】
貫通孔１１ａの形状は、平面視が円形、楕円形、三角形及び四角形等の多角形であって
もよいが、特に円形又は略円形が好ましい。用いる光源からの光の形状に一致させるため
である。支持部材１１における貫通孔１１ａの形状は、柱状、錐形状又はこれらを組み合
わせた形状であるものが好ましい。
【００２４】
貫通孔１１ａの大きさは、特に限定されず、例えば、レーザダイオードから出射される
光を１本以上通過させることができる大きさであればよい。具体的には、レーザダイオー
ドの種類にもよるが、直径又は幅が０．１０〜５．０ｍｍの範囲とすることが好ましい。
ただし、光の進行方向Ｘに必ずしも一定の直径又は幅でなくてもよい。貫通孔１１ａの長
さは、用いる支持部材１１の大きさにより適宜設定することができる。例えば、０．２０
〜１０ｍｍ程度が挙げられる。
【００２５】
図１Ａでは、貫通孔１１ａは、略円錐台形状を有している。その光入射側の孔の直径は
０．２０ｍｍであり、光出射側の孔の直径は、０．６５ｍｍである。貫通孔の長さは、支
持部材１１の厚みと等しい。
【００２６】
（第１透光部材）
支持部材１１は、少なくとも、貫通孔１１ａの内壁に第１透光部材１２を有する。第１
透光部材１２は、支持部材の上面（光出射側）及び／又は下面（光入射側）に形成されて
いてもよい。
第１透光部材１２は、貫通孔の内壁と、後述する第２透光部材とを融着するために利用
される。そのために、貫通孔１１ａの内壁に膜状、薄膜状に配置されていることが好まし
い。
【００２７】
第１透光部材１２は、例えば、融点が、後述する第２透光部材よりも低いものが好まし
い。また別の観点から、透光性部材の融点よりも、軟化点が低いものが好ましい。さらに
、貫通孔の内壁に形成されるものであるため、光の吸収が小さいもの、光透過率のよいも
のが好ましい。例えば、第１透光部材１２は、融点が１２００℃程度以下のものが好まし
く、１０００℃程度以下のものがより好ましく、８５０℃程度以下又は８３０℃程度以下
のものがさらに好ましい。軟化点は、１１５０℃程度以下のものが好ましく、９５０℃程
度以下のものがより好ましく、８５０℃程度以下のものがさらに好ましい。光透過率は、
用いる光源、例えばレーザダイオードから出射される光を５０％以上、６０％以上、７０
％又は８０％以上を透過するものが好ましい。特に、第１透光部材１２は、一旦溶融し、
支持部材１１と、後述する第２透光部材１３とを密着させるために機能することから、溶
融し、再度固化した後においてその組成が変化せずに、同じかつ高い光透過率を維持でき
る材料によって形成することが好ましい。
【００２８】
第１透光部材１２を構成する材料としては、無機材料からなるものが挙げられ、例えば
、ホウケイ酸ガラス、ソーダ石灰ガラス、ソーダガラス、鉛ガラスなどのガラスからなる
ものが好ましい。
ホウケイ酸ガラスは、一般には、二酸化ケイ素（ＳｉＯ２）を主成分とし、さらに酸化
ホウ素（無水ホウ酸）（Ｂ２Ｏ３）などの成分を含むガラスである。ホウケイ酸ガラスと
しては、公知のホウケイ酸ガラスのいずれをも用いることができる。ホウ珪酸ガラスの軟
化点は、通常５００℃〜１０００℃であり、好ましくは５００℃〜９００℃である。
ソーダ石灰ガラスは、一般には、二酸化ケイ素（ＳｉＯ２）、酸化ナトリウム（Ｎａ２
Ｏ）および／または炭酸カルシウム（ＣａＣＯ３）を主成分とするガラスを意味する。公
知のソーダ石灰ガラスのいずれをも用いることができる。ソーダ石灰ガラスの軟化点は、
通常６００℃〜８００℃であり、好ましくは７００℃〜８００℃である。
【００２９】
ソーダガラスは、一般には、二酸化ケイ素（ＳｉＯ２）、酸化ナトリウム（Ｎａ２）お
よび／または酸化カリウム（Ｋ２Ｏ）を主成分とするガラスを意味する。公知のソーダガ
ラスのいずれをも用いることができる。ソーダガラスの軟化点は、通常５００℃〜８００
℃であり、好ましくは６００℃〜８００℃である。
鉛ガラスは、一般には、二酸化ケイ素（ＳｉＯ２）および酸化鉛（ＰｂＯ）を主成分と
するガラスを意味する。公知の鉛ガラスのいずれをも用いることができる。鉛ガラスの軟
化点は、通常３００℃〜６００℃であり、好ましくは５００℃〜６００℃である。
【００３０】
第１透光部材１２は、支持部材１１の貫通孔１１ａ内に、後述する第２透光部材を融着
により固定するために用いられる。よって、第１透光部材は、支持部材及び後述する第２
透光部材を構成する材料よりも融点及び／又は軟化点が低いものが好ましい。このような
第１透光部材を備えることにより、第２透光部材を支持部材に固定することができる。よ
って、第２透光部材による溶融又は軟化等によって支持部材に固定する必要がなくなるた
め、第２透光部材の材料として高い耐熱性を有する材料を用いることができる。その結果
、より高出力の光源に対して、光学特性が安定した第２透光部材を用いることが可能とな
る。
【００３１】
また、比較的薄膜の第１透光部材１２に対して小さなエネルギーを与えるのみで第１透
光部材１２を溶融させることができるために、光部品を構成する部材、特に第２透光部材
への熱負荷を低減させることができ、光学特性を安定して発揮させることができる。その
結果、高いレベルで安定した光出力特性を得ることができる。
さらに、第１透光部材１２の溶融によって、支持部材１１の貫通孔１１ａ内に、後述す
る第２透光部材１３を隙間なく固定することができるため、第２透光部材１３において生
じた熱を、隙間に埋め込まれ、第２透光部材１３及び支持部材１１に密着した第１透光部
材１２を介して、効率的に支持部材に逃がすことができる。つまり、第２透光部材１３で
発生する又は第２透光部材１３に負荷される熱を第２透光部材１３の側面から、支持部材
に逃がすことができ、効率的に放熱することができる。
【００３２】
第１透光部材１２の厚みは、特に限定されず、例えば、貫通孔の内壁上において、０．
０１〜５μｍ程度が挙げられ、０．０５〜３μｍ程度が好ましい。なお、第１透光部材１
２が支持部材１１の上面に形成される場合には、例えば、貫通孔の内壁上よりも厚膜で形
成されていてもよい。
【００３３】
図１Ａでは、第１透光部材１２は、二酸化ケイ素によって、支持部材１１の上面の厚み
が６．０μｍ、貫通孔１１ａの内壁上の厚みが１．０μｍに形成されている。第１透光部
材１２の軟化点は８２０℃であり、４５０ｎｍの光の光透過率が９０％以上である。
【００３４】
（第２透光部材）
支持部材１１の貫通孔１１ａの中には、第２透光部材１３が配置されている。
第２透光部材１３は、光入射面１３ａと、光出射面１３ｂと、外周側面１３ｃとを有し
ている。外周側面１３ｃは、例えば、第２透光部材１３の光出射面１３ｂ側が又は光入射
面１３ａ側が、貫通孔１１ａの内壁に接触するような形状であってもよいが、貫通孔１１
ａの形状に一致した形状、つまり、外周側面１３ｃのより大きい面積で、貫通孔１１ａの
内壁に接触するような形状であることが好ましい。
【００３５】
第２透光部材は、その外周側面が、貫通孔の内壁に第１透光部材による融着によって固
定されているが、上述した形状であることにより、支持部材１１との密着性をより確実に
行うことができ、第２透光部材１３に照射される光による発熱を効果的に支持部材１１側
に逃がすことができる。
なかでも、第２透光部材は、光入射面１３ａから光出射面１３ｂに向かって拡がる形状
を有することがより好ましい。言い換えると、第２透光部材１３は、貫通孔１１の錐台形
状の傾斜面に一致する又は略一致する、外周側面１３ｃを有していることが好ましい。さ
らに言い換えると、光入射面１３ａ及び／又は光出射面１３ｂに平行な（後述する光軸に
垂直な）断面積、垂直な断面積又は第２透光部材の径が、光入射面１３ａから光出射面１
３ｂに向かって大きくなることが好ましい。
【００３６】
光入射面１３ａ及び光出射面１３ｂは、互いに平行に対向する平坦面であることが好ま
しいが、いずれか一方又は双方が上又は下に凹又は凸面を有していてもよい。この凹凸は
段階的でも傾斜的でもよい。なかでも、光入射面１３ａ及び光出射面１３ｂは、光源から
の光の進行方向を示す軸線、すなわち光軸に対して、それぞれ垂直に配置されることが好
ましい。
【００３７】
第２透光部材１３の大きさは、上述した貫通孔１１ａによって適宜調整することができ
る。例えば、平面視において、レーザダイオードから出射される光を１本以上通過させる
ことができる大きさであればよい。具体的には、レーザダイオードの種類にもよるが、直
径又は幅が０．１０〜３．０ｍｍの範囲とすることが好ましい。ただし、光の進行方向Ｘ
に必ずしも一定の直径又は幅でなくてもよい。第２透光部材１３の厚みは、用いる支持部
材１１の大きさにより適宜設定することができる。例えば、０．２０〜１０ｍｍ程度が挙
げられる。これによって、第２透光部材１３の外周側面１３ｃが支持部材１１と接触する
ことによって効果的な放熱効果を発揮させることができる。
【００３８】
第２透光部材１３は、光透過率のよい材料によって形成されていることが好ましい。例
えば、光透過率は、用いる光源、例えばレーザダイオードから出射される光を５０％以上
、６０％以上、７０％又は８０％以上を透過するものが好ましい。また、高出力の光が照
射しても、変質等しない耐光性及び耐熱性の良好な材料によって形成されているものが好
ましい。例えば、融点が１０００℃〜３０００℃のものが挙げられ、１３００℃〜２５０
０℃が好ましく、１５００℃〜２０００℃がより好ましい。
【００３９】
第２透光部材の材料としては、例えば、セラミックスが挙げられる。具体的には、アル
ミナ又はサファイア等の酸化アルミニウム（Ａｌ２Ｏ３、融点：約１９００℃〜２１００
℃）、石英ガラス等の二酸化ケイ素（ＳｉＯ２、融点：約１５００℃〜１７００℃）、酸
化ジルコニウム（ＺｒＯ２、融点：約２６００℃〜２８００℃）、酸化バリウム（ＢａＯ
、融点：１８００℃〜２０００℃）、酸化チタン（ＴｉＯ２、融点：１７００℃〜１９０
０℃）、酸化イットリウム（Ｙ２Ｏ３、融点：２４２５℃）、窒化ケイ素（Ｓｉ３Ｎ４、
融点：１９００℃）、窒化アルミニウム（ＡｌＮ、融点：２２００℃）、炭化ケイ素（Ｓ
ｉＣ、融点：２７３０℃）等が挙げられる。これらは単独で又は２種以上を組み合わせて
用いてもよい。なかでも、透光性が良好であり、融点、熱伝導性及び拡散性等の観点から
、酸化アルミニウム、二酸化ケイ素を含むものが好ましく、酸化アルミニウムを含むもの
がより好ましい。
第２透光部材は、単一の材料又は複数の材料によって単層構造でも積層構造でもよい。
【００４０】
このような材料で第２透光部材を形成することにより、光源、例えば、ＬＤの高出力化
により第２透光部材が高温になった場合でも、第２透光部材自体が融解することを抑制す
ることができ、ひいては第２透光部材の変形及び変色を回避することができる。よって、
長期間、光学特性を劣化させることなく維持することができる。また、熱伝導率に優れる
ものを用いることにより、光源に起因する熱を効率よく放出することができる。
【００４１】
第２透光部材は、第１透光部材１２よりも融点が高ければ、その融点は、支持部材１１
と同等であってもよいし、低くても、高くてもよい。なかでも、高いことが好ましい。
【００４２】
第２透光部材１３は、さらに蛍光体を含有していることが好ましい。これによって、光
源から出射される光の波長を変換することができ、典型的には、光源からの光と、波長変
換された光との混色光を外部に放出することができる。
【００４３】
蛍光体としては、例えば、用いる光源の出射光の波長、得ようとする光の色などを考慮
して、公知のもののいずれをも用いることができる。具体的には、セリウムで賦活された
イットリウム・アルミニウム・ガーネット（ＹＡＧ）、セリウムで賦活されたルテチウム
・アルミニウム・ガーネット（ＬＡＧ）、ユウロピウム及び／又はクロムで賦活された窒
素含有アルミノ珪酸カルシウム（ＣａＯ−Ａｌ２Ｏ３−ＳｉＯ２）、ユウロピウムで賦活
されたシリケート（（Ｓｒ，Ｂａ）２ＳｉＯ４）、βサイアロン蛍光体、ＫＳＦ系蛍光体
（Ｋ２ＳｉＦ６：Ｍｎ）などが挙げられる。なかでも、耐熱性を有する蛍光体を用いるこ
とが好ましい。
【００４４】
これらの蛍光体を利用することにより、可視波長の一次光及び二次光の混色光（例えば
白色系）を出射する発光装置、紫外光の一次光に励起されて可視波長の二次光を出射する
発光装置とすることができる。特に、青色発光素子に組み合わせて白色発光させる蛍光体
としては、青色で励起されて黄色のブロードな発光を示す蛍光体を用いることが望ましい
。
【００４５】
蛍光体は、複数の種類の蛍光体を組み合わせて用いてもよい。例えば、Ｓｉ６−ＺＡｌ
ＺＯＺＮ８−Ｚ：Ｅｕ、Ｌｕ３Ａｌ５Ｏ１２：Ｃｅ、ＢａＭｇＡｌ１０Ｏ１７：Ｅｕ、Ｂ
ａＭｇＡｌ１０Ｏ１７：Ｅｕ，Ｍｎ、（Ｚｎ，Ｃｄ）Ｚｎ：Ｃｕ、（Ｓｒ，Ｃａ）１０（
ＰＯ４）６Ｃｌ２：Ｅｕ，Ｍｎ、（Ｓｒ，Ｃａ）２Ｓｉ５Ｎ８：Ｅｕ、ＣａＡｌＳｉＢｘ
Ｎ３＋ｘ：Ｅｕ、Ｋ２ＳｉＦ６：Ｍｎ及びＣａＡｌＳｉＮ３：Ｅｕなどの蛍光体を所望の
色調に適した組み合わせや配合比で用いて、演色性や色再現性を調整することもできる。
蛍光体は、単層構造の第２透光部材において、組み合わせて用いてもよいし、積層構造
の第２透光部材に、それぞれ異なる蛍光体を含有させてもよい。
【００４６】
蛍光体は、比較的大きな平均粒径を有するものを用いることが好ましい。例えば、平均
粒径（メジアン径）が１０μｍ以上、１２μｍ以上であるものが好ましい。また、平均粒
径が５０μｍ以下、３０μｍ以下、２５μｍ以下であるものが好ましい。平均粒径は、例
えば、Ｆ．Ｓ．Ｓ．Ｓ．Ｎｏ（Ｆｉｓｈｅｒ Ｓｕｂ Ｓｉｅｖｅ Ｓｉｚｅｒ’ｓ Ｎｏ）
における空気透過法で得られる粒径を指す。このように、比較的大きな平均粒径を有する
ことにより、光源による光による発熱を低減させることができ、さらに第２透光部材から
の熱の放出を容易とすることができる。
【００４７】
蛍光体は、第２透光部材の総重量に対して、例えば０．０５重量％〜５０重量％とする
ことが好ましく、１重量％〜１５重量％がより好ましい。含有量を０．０５重量％以上と
することにより、蛍光体が光源からの光を十分に波長変換できる。
【００４８】
第２透光部材は、必要に応じて、光散乱材を含んでいてもよい。光散乱材としては、第
２透光部材を構成する材料に対して、融点が高いか、屈折率差があればよい。光散乱材と
しては、例えば、酸化アルミニウム、酸化ケイ素、酸化チタンなどを使用することができ
る。また、光散乱材の含有量は、特に限定されず、例えば、使用する第２透光部材の材料
よりも少ない量とすることができる。
【００４９】
第２透光部材は、光入射面１３ａ及び／又は光出射面１３ｂの表面又は片面に、任意に
、機能性膜が形成されていてもよい。例えば反射防止層（ＡＲ層）などが形成されていて
もよい。これらの層は、当該分野で公知の材料によって単層又は積層構造で配置すること
ができる。
【００５０】
図１Ａでは、第２透光部材１３は、蛍光体としてＹＡＧが第２透光部材の全重量に対し
て１１重量％含有された酸化アルミニウム（融点：約１９００℃〜２１００℃）によって
形成されている。第２透光部材１３は、その上面の直径０．５０ｍｍであり、下面の直径
が０．３０ｍｍであり、厚みが０．３０ｍｍである。第２透光部材１３は、第１透光部材
１２が溶融することにより、第２透光部材１３と支持部材１１とを密着させており、第２
透光部材１３自体は、溶融していない。
【００５１】
（第３透光部材）
少なくとも第２透光部材の光出射面を被覆するように、第３透光部材が配置されている
ことが好ましい。一実施形態では、第３透光部材は、第２透光部材１３の光出射面１３ｂ
から支持部材１１上に配置された第１透光部材１２を跨いで、これらを被覆するように配
置されている。
第３透光部材１４は、上述したような透光性を有する材料によって形成されていること
が好ましい。例えば、第１透光部材１２で例示した材料の中から選択することができる。
第３透光部材は、第１透光部材よりも融点が同等でもよいし、低いものでもよいし、高
いものでもよい。
また、第３透光部材は、第２透光部材１３よりも融点が低いものが好ましい。
さらに、第３透光部材は、支持部材１１よりも融点が低いものが好ましい。
【００５２】
第３透光部材は、自体の溶融を利用して及び／又は第１透光部材の溶融を利用して、支
持部材１１に固定することができる。
第３透光部材１４としては、融着(溶融)で形成されているものが好ましい。融着で形成
することにより、第３透光部材と第２透光部材とのあいだに、空隙（エアギャップ）等が
形成されにくく、つまりは、第３透光部材と第２透光部材とのあいだを密着性よく、また
接触面積を大きく確保することができる。
【００５３】
第３透光部材１４は、上述した蛍光体及び／又は光散乱材又はフィラーを含有している
ことが好ましい。これによって、第２透光部材を通過した光を均一化させることができる
とともに、色調整を行うこともできる。また、蛍光体の種類によって、第２透光部材を構
成する材料との相溶性等が良好でない、第２透光部材の製造において劣化するなどが起こ
り得る場合には、第２透光部材への蛍光体の含有に代えて、第３透光部材１４に蛍光体を
含有させることにより、あるいは、第２透光部材への光散乱材又はフィラーの含有に代え
て、第３透光部材１４に光散乱材又はフィラーを含有させることにより、より一層光学特
性を安定させることが可能となる。また、第２透光部材における局所的な透過率の悪化を
抑制しつつ、比較的多くの光散乱材又はフィラーを第３透光部材に用いることができる。
さらに、光の密度が低下した状態で光を第２透光部材の蛍光体に当てることができるため
、蛍光体の発熱の軽減および出射光の色むらを改善することができる。また、第３透光部
材が、第２透光部材に入射する光及び／又は第２透光部材から出射する光を所望の色調に
補正することができる。
第３透光部材１４における蛍光体及び／又は光拡散材の含有量は、例えば、全第３透光
部材の重量に対して、それぞれ、１．０〜２０重量％が挙げられ、２．０〜１０重量％が
好ましい。
第３透光部材１４の厚みは、例えば、数〜数百μｍ程度が挙げられる。
【００５４】
図１Ａでは、第３透光部材１４は、光散乱剤として二酸化ケイ素を、全第３透光部材重
量に対して４．０重量％で含有した、ガラスによって形成されている。その厚みは、０．
２μｍである。
第３透光部材１４の表面は、第１透光部材１２の表面と面一か、第１透光部材１２の表
面よりも若干高い位置に配置されている。
【００５５】
（機能性膜）
機能性膜としては、光の透過性、反射性、熱伝導性等に好適に機能し得る膜であれば特
に限定されるものではなく、例えば、ショートパスフィルター、ロングパスフィルター、
放熱部材等が挙げられる。これらは、その機能によって、光の出射面側、入射面側、光の
進行に沿って、光の進行に交差して配置することができる。
【００５６】
〔光部材の製造方法〕
この実施形態の光部品１０の製造方法は、図１Ｂ〜１Ｅに示すように、以下の工程を含
む。
（ａ）入射開口部と出射開口部を有する貫通孔が形成された支持部材を準備し、
（ｂ）光入射面と光出射面と外周側面とを有する第２透光部材を準備し、
（ｃ）貫通孔の内壁に第１透光部材を形成し、
（ｄ）第２透光部材の外周側面を、貫通孔の内壁に、第１透光部材による融着によって
固定する工程。
工程（ａ）〜（ｃ）はどのような順序で行ってもよい。
工程（ｄ）の後、任意に、（ｅ）第２透光部材の光出射面から第１透光部材を跨いで被
覆する第３透光部材を形成する工程を行ってもよい。
さらに、（ｆ）第３透光部材、第１透光部材及び支持部材の１以上の上面及び／又は下
面を研磨等してもよい。
【００５７】
（ａ：支持部材の準備）
支持部材となる材料によるセラミックスを準備する。図１Ｂに示すように、この板状の
セラミックスを切削することにより、適当な大きさに加工し、一方向に幅広となる貫通孔
１１ａを形成する。貫通孔１１ａの形成は、当該分野で公知の方法によって行うことがで
きる。例えば、研削や金型により形成する。
【００５８】
例えば、上述したジルコニア含有酸化アルミニウムによるセラミック平板を準備する場
合、酸化アルミニウムを７０〜９５重量部、ジルコニアを５．０〜３０重量部に、イット
リア、カルシア、マグネシア、セリアのいずれか１種以上を０．１〜２．０重量部を混合
し、所定の厚さのシート状のセラミックグリーンシートとする。そして、セラミックグリ
ーンシートを金型により所定の形状に形成し、約１５５０℃程度で焼成し形成する。
【００５９】
（ｂ：第２透光部材の準備）
第２透光部材となる材料による平板を準備する。この第２透光部材となる材料には、蛍
光体と、任意に光散乱材又はフィラーが含有されていてもよい。
【００６０】
例えば、酸化アルミニウムによるセラミック平板を準備する場合、酸化アルミニウムを
主成分とする材料に、任意に添加剤、蛍光体、光拡散剤等を添加して混合し、得られた混
合物を、固体圧縮焼結法等によって焼結する方法が挙げられる。
具体的には、得られた混合物をグラファイト製焼結型に充填し、ＯＮ−ＯＦＦ直流パル
ス電圧・電流を利用して大電流を投入し、火花放電現象により瞬間に発生する放電プラズ
マ（高温プラズマ：瞬間的に数千〜１万℃の高温度場が粒子間に生じる）の高エネルギー
を、焼結型及び材料に直接印加して、加圧しながら焼結する放電プラズマ焼結法が挙げら
れる。
その後、適当な大きさ、適当な外周側面となるように、研削法により加工する（図１Ｄ
中、１３参照）。
【００６１】
（ｃ：第１透光部材の形成）
図１Ｃに示すように、支持部材１１の貫通孔１１ａの内壁に第１透光部材１２を形成す
る。貫通孔１１ａの内壁の一部又は全部に第１透光部材１２を形成するのであれば、支持
部材の上面等にも形成されてもよい。
第１透光部材１２は、例えば、ゾルゲル法、スピンコート法、スパッタ法等の公知の方
法によって支持部材１１の適所に形成することができる。なかでも、スパッタ法により形
成することが好ましい。
例えば、ホウケイ酸ガラスからなるターゲットを用い、スパッタ装置により、スパッタ
して成膜する方法が挙げられる。
【００６２】
（ｄ：第２透光部材の固定）
図１Ｄに示すように、内壁の表面に第１透光部材１２が形成された支持部材１１の貫通
孔１１ａ内に、貫通孔１１ａの形状に沿って、第２透光部材１３を配置する。その後、加
熱を伴う処理により、第２透光部材１３と支持部材１１とが第１透光部材１２を介して接
触している部位において、第１透光部材１２を溶融させる。
ここでの加熱は、第１透光部材の融点（又は軟化点）以上の温度であり、かつ第２透光
部材の融点以下の温度で行う。具体的には、７５０〜８５０℃程度の温度に加熱する方法
が挙げられる。特に、支持部材が、ジルコニア含有酸化アルミナにより形成され、第２透
光部材が酸化アルミナにより形成されている場合には、８２０〜８３０℃程度の温度に加
熱することにより、第２透光部材及び支持部材は溶融せず、第１透光部材のみが軟化又は
溶融するために、第２透光部材及び支持部材の接触面にわたって延び、隙間を埋め込んで
、第２透光部材及び支持部材を融着することができる。
加熱処理は、例えば、支持部材を電気炉内で行うことが好ましい。
【００６３】
第１透光部材を溶融させた後、第２透光部材を支持部材に押圧することにより、両者は
密着し、これらを冷却することにより第１透光部材が硬化して、第２透光部材を支持部材
の貫通孔内に固定させることができる。
【００６４】
このように、内壁の表面に第１透光部材が配置されていることにより、第２透光部材の
支持部材への位置あわせを行うことなく、再現性よく両者を融着することができる。また
、第２透光部材の外周側面を利用した大面積での支持部材への融着、固定が実現できるた
め、第２透光部材を強固に支持部材に固定することができるとともに、密着性が良好であ
ることに起因して、第２透光部材での熱を支持部材に効率的に伝搬して放散させることが
できる。その結果、この光部品が利用される発光装置の放熱性を一層向上させることがで
きる。
【００６５】
（ｅ：第３透光部材の形成）
第２透光部材を支持部材に固定した後、図１Ｅに示すように、任意に、第２透光部材１
３を第３透光部材１４で被覆するように、第３透光部材１４を形成してもよい。
第３透光部材１４は、例えば、支持部材１１における光出射側の貫通孔１１ａの大きさ
よりも若干大きな大きさに成形又は加工し、これを、第２透光部材１３の光出射面から第
１透光部材１２また跨ぐように配置し、加熱を伴う処理を行い、第３透光部材１４を溶融
させる。あるいは、光出射面と同等の大きさの第３透光部材１４を用いてもよい。
この場合、第３透光部材１４の溶融とともに、支持部材１１の表面に形成された第１透
光部材１２がともに溶融させてもよい。
第３透光部材１４を溶融させた後、第３透光部材１４を支持部材１１に押圧することに
より、両者は密着し、これらを冷却することにより第３透光部材１４が硬化して、支持部
材１１及び／又は第２透光部材１３に固定させることができる。
【００６６】
あるいは、マスクを用いるなどして、第２透光部材１３の光出射面から第１透光部材１
２を跨ぐ位置又は第２透光部材１３の光出射面に、スパッタ法、ゾルゲル法、蒸着、ＡＬ
Ｄ法等を利用して、部分的に第３透光部材１４を形成してもよい。
【００６７】
また、第３透光部材１４を固定した後、その上面を研磨してもよい。この研磨によって
、第３透光部材の体積を調整する。第３透光部材に、蛍光体及び／又は光散乱材又はフィ
ラーを含有している場合、体積を調整することによって、第２透光部材を通過した光の均
一化の調整及び／または色調整を行うことができる。この研磨によって、支持部材１１上
に残存する第１透光部材１２とともに第３透光部材１４が除去され、第３透光部材１４と
支持部材１１との上面を略面一としてもよい。あるいは、残存する第１透光部材１２と第
３透光部材１４との上面を略面一としてもよい。また、第３透光性部材１４を固定した後
、その上面を凹凸に荒らしてもよい。
【００６８】
実施形態２：光部品及びその製造方法
この実施形態の光部品２０は、図２に示すように、主として、支持部材２１と、第１透
光部材１２と、第２透光部材１３と、第３透光部材１４と、機能膜として適用する発光装
置における発光素子の出射光の波長と同等又は短波長の光を透過し、それよりも長波長の
光を反射するフィルター２６とを備える。
フィルター２６は、当該分野で公知の材料によって形成されたもののいずれをも用いる
ことができる。
図２では、フィルター２６は、第２透光部材１３の光入射面側において、第２透光部材
１３と支持部材１１とに接触して配置されている。
そのために、第３透光部材１４形成した後、例えば、支持部材１１の下面を研磨し、ス
パッタ法を用いてフィルター２６を形成する。無機接着、蒸着等を用いてもよい。
【００６９】
上述した構成以外は、実質的に光部材１０と同様であり、実質的に同様の製造方法で形
成することができる。
【００７０】
このような構成を有することにより、光部材１０の効果に加えて、フィルター２６を利
用することができるため、光部材として、所望の波長の光のみを選択的に効率的に取り出
すことが可能となる。
【００７１】
実施形態３：光部品及びその製造方法
この実施形態の光部品３０は、図３に示すように、主として、支持部材３１と、第１透
光部材１２と、第２透光部材１３と、第３透光部材１４と、フィルター２６と、放熱部材
３７とを備える。
放熱部材としては、透光性材料であり、耐熱性が良好なものであれば特に限定されず、
第１透光部材、第２透光部材、第３透光部材で例示したもの、サファイア等のいずれをも
用いることができる。
そのために、フィルター２６に、例えば、低融点ガラスを用いて接着する。
上述した構成以外は、実質的に光部材１０及び光部品２０と同様であり、実質的に同様
の製造方法で形成することができる。
【００７２】
このような構成を有することにより、光部材１０、２０の効果に加えて、所望の波長の
光のみを選択的に効率的に取り出すことを実現しつつ、フィルター２６が、支持部材１１
のみならず、その反対側からも全面で熱引きされ、放熱性を向上させることができる。
【００７３】
実施形態４：光部品及びその製造方法
実施形態３の変形例として、この実施形態の光部品４０は、図４に示すように、図３の
光部品３０と同様に、主として、支持部材３１と、第１透光部材１２と、第２透光部材１
３と、第３透光部材１４と、フィルター２６と、放熱部材３７とを備える。フィルター２
６と第２透光部材１３とを離間させてもよい。
具体的には、実施形態２において、第３透光部材１４を形成した後、支持部材１１の下
面を研磨しないで、その下面にスパッタ法等を利用してフィルター２６を形成する。フィ
ルター２６は、第２透光部材１３の光入射面側において、第２透光部材１３と離間し、支
持部材１１に接触して配置される。
【００７４】
実施形態５：光部品
この実施形態の光部品５０は、図５に示すように、支持部材４１における貫通孔４１ａ
が、段階的及び傾斜的に、光の進行方向に向かって広がる形状となっている以外、実質的
に光部品１０と同様の構成を有し、実質的に同様の製造方法で形成することができる。
【００７５】
このような構成を有することにより、第２透光部材１３は、外周側面のみならず、光入
射面の一部においても支持部材１１に密着することができるため、より強固な固定を実現
し、より放熱性を向上させることができる。
【００７６】
実施形態６：発光装置及びその製造方法
この実施形態の発光装置６０は、上述したいずれかの光部品を、光源などを組み合わせ
ることにより作製される。つまり、光部品を、光源と接続することによって製造すること
ができる。この場合、半導体レーザ素子との直接的な接続を意味するものではなく、光源
から出射される光を、光部品の支持部材の第２透光部材に当てるように光学的に結合させ
ることを意味する。
【００７７】
図６Ａに示すように、この発光装置６０は、主として、光源としての半導体レーザ素子
、つまりレーザダイオード６７と、光部品としての支持部材６１とを備える。
光源としては、レーザダイオードのみならず、発光ダイオード等の種々のものが利用で
きる
【００７８】
レーザダイオード６７としては、レーザ光を発振することができるものであれば、特に
制限なく使用することができる。例えば、３００ｎｍ〜５００ｎｍ、好ましくは４００ｎ
ｍ〜４７０ｎｍ、より好ましくは４２０ｎｍ〜４７０ｎｍに発光ピーク波長を有するもの
を用いることができる。典型的には、端面発光型のＬＤを使用することができる。ＬＤと
しては、高出力のものを用いることができ、例えば、１つのＬＤにおいて、１Ｗ〜１００
Ｗの出力のものを用いることができる。また、ＬＤは、１個のみならず、複数個のＬＤを
使用することによりさらに高出力のものとしてもよい。２個以上のＬＤを用いる場合には
、それらの波長は、同じ波長帯であってもよいし、あるいは異なっていても、重複してい
てもよい。
この発光装置６０は、上述したとおり、熱に強い特性を有する光部品を備えるため、高
出力のＬＤを採用する場合に特に効果的である。
【００７９】
光部品としての支持部材６１は、筒状の筐体形状を有しており、貫通孔を備え、その内
壁に第１透光部材６２によって融着された第２透光部材６３を備え、第２透光部材６３上
から第１透光部材６２の上にわたって、第３透光部材６４が固定されている。この構成以
外は、実質的に光部品１０と同様の構成である。
【００８０】
レーザダイオード６７は、ヒートシンク６６を用いて板状のステム７０に固定されてい
る。光部品としての支持部材６１は、内部空間６５を含んで、ステム７０によって密閉さ
れている。ステム７０には、外部電力と電気的に接続するための複数のリード６９がそれ
ぞれステム７０に設けた複数の貫通孔を通して配置されている。貫通孔は、低融点ガラス
などの材料から構成される封止材６８でさらに密閉することができる。レーザダイオード
１は、ワイヤー等の導電部材を介してリード６９と電気的に接続されている。
レーザダイオード６７と支持部材６１、特に、第２透光部材６３との間には、例えば、
レーザ光を集光させることのできるレンズなどの部材を設けてもよい。
【００８１】
このような構成を有する発光装置は、図６Ｂに示すように、レーザダイオード６７から
出射された光が、入射光１６として、支持部材６１の貫通孔を通って、第２透光部材６３
に照射され、第３透光部材６４を介して、出射光１７として、出射される。
これによって、第２透光部材１３で所望の光に波長変換することができ、かつ、第２透
光部材６３を通過した光を均一化させて、色調整することもできる。
また、長時間の光照射においても、光部品自体を劣化、変質させることなく、長期にわ
たって、均一な光質特性を維持／向上させることができる。
また、支持部材１１においては、光の進行方向に、従来用いられていたような銀含有の
被覆膜が存在しないため、高出力の光を長期間にわたって光の取り出し効率を低減させる
ことなく、維持することができる。さらに、第２透光部材及び／又は第３透光部材に蛍光
体が含有されている場合においても、これら透光部材の放熱性を向上させていることから
、蛍光体に悪影響を与えることなく、光質特性を維持することができる。
【００８２】
実施形態７：発光装置
別の発光装置として、光源と、光源からの光を集光させるレンズと、光源からの光を光
ファイバに接続させるためのコネクタと、光ファイバと、光ファイバの先端部分を保持す
る先端部材と、先端部材と接続された光部品とをこの順に連結させたものが挙げられる。
この発光装置では、光源からの光の一部が、光ファイバにより、光部品に導入され、最終
的に、光源からの光と、蛍光体の光との混色光を取り出すことができる。
【産業上の利用可能性】
【００８３】
本発明の実施形態の光部品及びその製造方法並びに発光装置は、車載用、液晶ディスプ
レイのバックライト光源、各種照明器具、大型ディスプレイ、広告、行き先案内等の各種
表示装置、さらには、デジタルビデオカメラ、ファクシミリ、コピー機、スキャナ等にお
ける画像読取装置、プロジェクタ装置の各種照明などに利用することができる。
【符号の説明】
【００８４】
１０、２０、３０、４０、５０  光部品
１１、６１  支持部材
１１ａ  貫通孔
１２、６２  第１透光部材
１３、６３  第２透光部材
１３ａ  光入射面
１３ｂ  光出射面
１３ｃ  外周側面
１４、６４  第３透光部材
１６  入射光
１７  出射光
２６  フィルター
３７  放熱部材
６０  発光装置
６５  内部空間
６６  ヒートシンク
６７  レーザダイオード
６８  封止材
６９  リード
７０  ステム
【図１Ａ】
2019195086.tif 000003
【図１Ｂ】
2019195086.tif 000004
【図１Ｃ】
2019195086.tif 000005
【図１Ｄ】
2019195086.tif 000006
【図１Ｅ】
2019195086.tif 000007
【図２】
2019195086.tif 000008
【図３】
2019195086.tif 000009
【図４】
2019195086.tif 000010
【図５】
2019195086.tif 000011
【図６Ａ】
2019195086.tif 000012
【図６Ｂ】
2019195086.tif 000013